(57)【要約】【課題】温度データや湿度データに基づいて故障発生の可能性の有無を判別することができる電話機および電話機システムを提供することを目的とする。【解決手段】温度センサと湿度センサとを備えた電話機であって、温度センサから取り込んだ温度データと湿度センサから取り込んだ湿度データとの少なくとも一方が急激に変化した場合には異常な状態と判別する状態判別部２と、異常な状態を通知する通知部５、６とを有する。【選択図】  図１
2004247903.tif 000002
【特許請求の範囲】
【請求項１】
温度センサと湿度センサとを備えた電話機であって、
前記温度センサから取り込んだ温度データと前記湿度センサから取り込んだ湿度データとの少なくとも一方が急激に変化した場合には異常な状態と判別する状態判別部と、前記異常な状態を通知する通知部とを有することを特徴とする電話機。
【請求項２】
親機と複数の子機とで構成される電話機システムであって、
前記親機と複数の子機とはそれぞれ温度センサと湿度センサとを有し、
前記親機は、前記親機の温度センサから取り込んだ温度データと前記親機の湿度センサから取り込んだ湿度データとの少なくとも一方が前記複数の子機の前記温度データまたは前記湿度データと大きく異なる場合または前記複数の子機のうちのいずれかの子機の前記温度データと前記湿度データとの少なくとも一方が前記親機または前記いずれかの子機以外の子機の前記温度データまたは前記湿度データと大きく異なる場合には異常な状態と判別する状態判別部と、前記異常な状態を送信する親機無線通信部とを有し、
前記複数の子機は、前記親機からの前記異常な状態を受信する子機無線通信部と、前記異常な状態を通知する通知部とを有することを特徴とする電話機システム。
【請求項３】
前記親機は、前記複数の子機のいずれかの電源をオフにする電源制御信号を発信することができることを特徴とする請求項２に記載の電話機システム。
【請求項４】
前記親機は、前記異常な状態を通知する子機を選択することができることを特徴とする請求項２に記載の電話機システム。
【請求項５】
他機器の電源制御信号を発信することができる無線通信部と、前記電源制御信号を発信する閾値となる温度および湿度を設定するための設定装置とを備えたことを特徴とする請求項１に記載の電話機。
【請求項６】
前記親機は、他機器の電源制御信号を発信する閾値となる温度および湿度を設定するための設定装置を備え、
前記親機無線通信部は、前記他機器の電源制御信号を発信することができると共に前記他機器の電源制御信号を任意の子機に送信することができることを特徴とする請求項２、３または４に記載の電話機システム。
【請求項７】
前記子機無線通信部は、エアコンや加湿器などの機器の温度および湿度の設定を変更する設定制御信号を発信することができると共に前記設定制御信号を前記親機を介して任意の子機に送信することができることを特徴とする請求項２、３、４または６に記載の電話機システム。
【発明の詳細な説明】
【０００１】
【発明の属する技術分野】
本発明は、温度センサおよび湿度センサを備えた電話機、および、温度センサおよび湿度センサを備えた親機と温度センサおよび湿度センサを備えた複数の子機とで構成される電話機システムに関するものである。
【０００２】
【従来の技術】
従来の電話機として、ビルの各フロアに配置されている電話機に温度センサを備え、検知温度を電子交換機を介してビル管理装置に自動通知することで、火災発生を検知できるようにしているものがある。このことは例えば特許文献１に記載されている。また、温度センサやガスセンサなどを備えることで、火災警報装置やガス警報装置の役割を果たし、異常発生時には指定された連絡先に通知するようにしているものもある。これは例えば特許文献２に記載されている。
【０００３】
【特許文献１】
特開平３−１５９０００号公報
【特許文献２】
特開平５−１４５６８８号公報
【０００４】
【発明が解決しようとする課題】
電話機自体を高温や高湿度の環境下で使用すると、故障、予想外の動作を起こす可能性がある。前述の温度センサを備えた電話機は火災検知用であり、電話機自体の異常を検知するものではない。
【０００５】
本発明は、この要求を満たすため、温度データや湿度データに基づいて事故発生の可能性の有無を判別することができる電話機、および、温度データや湿度データに基づいて故障，事故発生の可能性の有無を判別することができる電話機システムを提供することを目的とする。
【０００６】
【課題を解決するための手段】
上記課題を解決するために本発明の電話機は、温度センサと湿度センサとを備えた電話機であって、温度センサから取り込んだ温度データと湿度センサから取り込んだ湿度データとの少なくとも一方が急激に変化した場合には異常な状態と判別する状態判別部と、異常な状態を通知する通知部とを有する構成を備えている。
【０００７】
これにより、温度データや湿度データに基づいて事故発生の可能性の有無を判別することができる電話機が得られる。
【０００８】
上記課題を解決するために本発明の電話機システムは、親機と複数の子機とで構成される電話機システムであって、親機と複数の子機とはそれぞれ温度センサと湿度センサとを有し、親機は、親機の温度センサから取り込んだ温度データと親機の湿度センサから取り込んだ湿度データとの少なくとも一方が複数の子機の温度データまたは湿度データと大きく異なる場合または複数の子機のうちのいずれかの子機の温度データと湿度データとの少なくとも一方が親機またはいずれかの子機以外の子機の温度データまたは湿度データと大きく異なる場合には異常な状態と判別する状態判別部と、異常な状態を送信する親機無線通信部とを有し、複数の子機は、親機からの異常な状態を受信する子機無線通信部と、異常な状態を通知する通知部とを有する構成を備えている。
【０００９】
これにより、温度データや湿度データに基づいて事故発生の可能性の有無を判別することができる電話機システムが得られる。
【００１０】
【発明の実施の形態】
本発明の請求項１に記載の電話機は、温度センサと湿度センサとを備えた電話機であって、温度センサから取り込んだ温度データと湿度センサから取り込んだ湿度データとの少なくとも一方が急激に変化した場合には異常な状態と判別する状態判別部と、異常な状態を通知する通知部とを有することとしたものである。
【００１１】
この構成により、温度データや湿度データに基づいて事故発生の可能性の有無を判別することができるので、電話機が事故を起こしうる状況にあることを自動的に使用者に通知することができるという作用を有する。
【００１２】
請求項２に記載の電話機システムは、親機と複数の子機とで構成される電話機システムであって、親機と複数の子機とはそれぞれ温度センサと湿度センサとを有し、親機は、親機の温度センサから取り込んだ温度データと親機の湿度センサから取り込んだ湿度データとの少なくとも一方が複数の子機の温度データまたは湿度データと大きく異なる場合または複数の子機のうちのいずれかの子機の温度データと湿度データとの少なくとも一方が親機またはいずれかの子機以外の子機の温度データまたは湿度データと大きく異なる場合には異常な状態と判別する状態判別部と、異常な状態を送信する親機無線通信部とを有し、複数の子機は、親機からの異常な状態を受信する子機無線通信部と、異常な状態を通知する通知部とを有することとしたものである。
【００１３】
この構成により、親機や各子機の温度データや湿度データに基づいて事故発生の可能性の有無を親機が判別することができるので、電話機が事故を起こしうる状況にあることを各子機を介して自動的に使用者に通知することができるという作用を有する。
【００１４】
請求項３に記載の電話機システムは、請求項２に記載の電話機システムにおいて、親機は、複数の子機のいずれかの電源をオフにする電源制御信号を発信することができることとしたものである。
【００１５】
この構成により、異常が発生していると判別した子機に対して電源制御信号を発信し、電源をオフにすることができるという作用を有する。
【００１６】
請求項４に記載の電話機システムは、請求項２に記載の電話機システムにおいて、親機は、異常な状態を通知する子機を選択することができることとしたものである。
【００１７】
この構成により、異常が発生したことをシステムを構成する任意の子機に通知することができるという作用を有する。
【００１８】
請求項５に記載の電話機は、請求項１に記載の電話機において、他機器の電源制御信号を発信することができる無線通信部と、電源制御信号を発信する閾値となる温度および湿度を設定するための設定装置とを備えることとしたものである。
【００１９】
この構成により、温度センサで検知した温度と湿度センサで検知した湿度との少なくとも一方が、設定した値を上回るか又は下回る場合に、他機器の電源をオンにすることができるという作用を有する。
【００２０】
請求項６に記載の電話機システムは、請求項２、３又は４に記載の電話機システムにおいて、親機は、他機器の電源制御信号を発信する閾値となる温度および湿度を設定するための設定装置を備え、親機無線通信部は、他機器の電源制御信号を発信することができると共に他機器の電源制御信号を任意の子機に送信することができることとしたものである。
【００２１】
この構成により、親機は、親機および各子機の温度センサで検知した温度と湿度センサで検知した湿度との少なくとも一方が、設定値を上回るか又は下回る場合に、設定値を上回るか又は下回った子機に電源制御信号を送信することで、他機器たとえばエアコンの電源をオンにすることができるという作用を有する。
【００２２】
請求項７に記載の電話機システムは、請求項２、３、４又は６に記載の電話機システムにおいて、子機無線通信部は、エアコンや加湿器などの機器の温度および湿度の設定を変更する設定制御信号を発信することができると共に設定制御信号を親機を介して任意の子機に送信することができることとしたものである。
【００２３】
この構成により、子機は、親機を経由して、他機器の温度設定および湿度設定を行うことができるので、他機器の在る他の部屋の温度設定および湿度設定を行うことができるという作用を有する。
【００２４】
以下、本発明の実施の形態について、図１〜図９を用いて説明する。
【００２５】
（実施の形態１）
図１は、本発明の実施の形態１による電話機としての親機を示すブロック図である。
【００２６】
図１において、１は温度センサと湿度センサを備えたセンサ、２は複数の温度データおよび湿度データの比較機能を備えると共にその比較結果から状態を判別する機能を備えた状態判別部、３は使用者が温度および湿度を設定する機能を備えた設定装置、４はセンサ部１および設定装置３から取り込んだデータを保存する機能を備えたメモリ、５は異常通知する機能を備えた表示装置、６は同じく異常通知する機能を備えたスピーカ６、７は無線リンクを介してデータおよび各種制御信号の送受信を行う無線通信部である。ここで、表示装置５とスピーカ６とは通知部を構成する。
【００２７】
このように構成された電話機について、その動作を図２を用いて説明する。図２は、本発明の実施の形態１による電話機の動作を示すフローチャートであり、請求項１の記載に対応するものである。
【００２８】
図２において、まず、電話機（親機）のセンサ１は温度データおよび湿度データを取り込む（Ｓ１）。温度データおよび湿度データの取り込みは定期的に行われる。取り込んだ温度データおよび湿度データは状態判別部２に送信される。次に、状態判別部２は、センサ１から受信した温度データおよび湿度データと、メモリ４に保存されている過去の温度データおよび湿度データとの比較を行う（Ｓ２）。比較した温度データあるいは湿度データの少なくとも一方において、差異が大きい場合には異常であると判定する（Ｓ３）。状態判別部２において異常と判定された場合、状態判別部２は、表示装置５およびスピーカ６に対し、異常を表すデータを送信する（Ｓ４）。そして、表示装置５では、異常を表すメッセージを表示する。また、スピーカ６では、異常を表す警告音を発生する。次に、状態判別部２は、ステップＳ２でセンサ１から受信した温度データおよび湿度データをメモリ４に送信する。メモリ４は、受信した温度データおよび湿度データを一定期間保存する（Ｓ５）。ステップＳ３で異常でないと判別された場合、状態判別部２はステップＳ２でセンサ１から受信した温度データおよび湿度データをメモリ４に送信し、メモリ４は受信した温度データおよび湿度データを一定期間保存する（Ｓ５）。
【００２９】
以上のように本実施の形態によれば、温度センサから取り込んだ温度データと湿度センサから取り込んだ湿度データとの少なくとも一方が急激に変化した場合には異常な状態と判別する状態判別部２と、異常な状態を通知する通知部５、６とを有することにより、温度データや湿度データに基づいて事故発生の可能性の有無を判別することができるので、電話機が事故を起こしうる状況にあることを自動的に使用者に通知することができる。
【００３０】
（実施の形態２）
図３は、本発明の実施の形態２による電話機システムを構成する子機を示すブロック図である。なお、本実施の形態による電話機システムを構成する親機の構成は、図１に示す構成である。
【００３１】
図３において、８は温度センサおよび湿度センサを備えたセンサ、９は無線リンクを介してデータおよび各種制御信号の送受信を行う無線通信部、１０は異常通知する機能を備えた表示装置、１１は同じく異常通知する機能を備えたスピーカ、１２は使用者が温度および湿度を設定する機能を備えた設定装置１２である。ここで、表示装置１０とスピーカ１１とは通知部を構成する。
【００３２】
図４は、本実施の形態による電話機システムを示すブロック図であり、請求項２、３、４の記載に対応するものである。
【００３３】
図４において、１３は図１の電話機（親機）の機能を備えた親機、１４、１５は図３の電話機（子機）の機能を備えた子機である。ここで、無線通信は、親機１３と子機１４との間、親機１３と子機１５との間で行われる。
【００３４】
このように構成された電話機システムについて、その動作を図５を用いて説明する。図５は、図４の電話機システムの動作を示すフローチャートであり、子機１５に異常が起こっている場合を示す。
【００３５】
図５において、まず、利用者は、親機１３の設定装置３を通して、異常発生時に電源をオフにするための信号を発信するかどうかの選択、および異常通知先となる電話機（子機）の選択を行う（Ｓ１１）。本実施の形態では、電源をオフにする信号を発信するように設定し、異常通知先を子機１４に設定する。これらの設定内容はメモリ４に保存される。次に、親機１３のセンサ１は温度データおよび湿度データを取り込む（Ｓ１２）。データの取り込みは定期的に行われる。取り込んだ温度データおよび湿度データは状態判別部２に送信される。同様に、子機１４および子機１５でも、センサ８から温度データおよび湿度データを取り込む（Ｓ１２ａ、Ｓ１２ｂ）。取り込んだ温度データおよび湿度データは無線通信部９に送信される。子機１４および子機１５の無線通信部９は、温度データおよび湿度データを親機１３の無線通信部７に送信する（Ｓ１３ａ、Ｓ１３ｂ）。親機１３の無線通信部７は、子機１４および子機１５の無線通信部９から送信された温度データおよび湿度データを受信し、それらのデータを状態判別部２に送信する（Ｓ１３）。状態判別部２は、ステップＳ１２で取得した温度データおよび湿度データならびにステップＳ１３で受信した温度データおよび湿度データの比較を行う（Ｓ１４）。比較した温度データあるいは湿度データの少なくとも一方において、他の電話機（親機から見た場合は子機、子機から見た場合は親機や他の子機）と大きく異なる値を示すデータがあった場合、そのデータを送信した電話機に異常があると判定する（Ｓ１５）。次に、親機１３の無線通信部７は、メモリ４に保存された設定に従い、子機１４の無線通信部９に対して、子機１５に異常があることを表すデータを送信する（Ｓ１６）。次に、子機１４の無線通信部９は、親機１３の無線通信部７から送信されたデータを受信する（Ｓ１６ａ）。次に、子機１４の無線通信部９は、表示装置１０およびスピーカ１１に異常を表すデータを送信する（Ｓ１６ｂ）。そして、表示装置１０では、子機１５に異常があることを表すメッセージを表示する。また、スピーカ１１では、異常が発生したことを表す警告音を発生する。次に、ステップＳ１１で電源をオフにする電源制御信号を発信するよう設定した場合すなわちオフ信号を送信すると判別した場合（Ｓ１７）、親機１３の無線通信部７は、子機１５の無線通信部９に対し、電源制御信号を送信する（Ｓ１８）。子機１５の無線通信部９は、親機１３の無線通信部７から送信された電源制御信号を受信し（Ｓ１８ａ）、子機１５は自身の電源をオフにする（Ｓ１８ｂ）。
【００３６】
以上のように本実施の形態によれば、親機１３と複数の子機１４、１５とはそれぞれ温度センサと湿度センサとを有し、親機１３は、親機１３の温度センサから取り込んだ温度データと親機１３の湿度センサから取り込んだ湿度データとの少なくとも一方が複数の子機１４、１５の温度データまたは湿度データと大きく異なる場合または複数の子機１４、１５のうちのいずれかの子機の温度データと湿度データとの少なくとも一方が親機１３またはいずれかの子機以外の子機の温度データまたは湿度データと大きく異なる場合には異常な状態と判別する状態判別部２と、異常な状態を送信する親機無線通信部７とを有し、複数の子機１４、１５は、親機１３からの異常な状態を受信する子機無線通信部９と、異常な状態を通知する通知部１０、１１とを有することにより、親機１３や各子機１４、１５の温度データや湿度データに基づいて事故発生の可能性の有無を親機１３が判別することができるので、電話機が事故を起こしうる状況にあることを各子機１４、１５を介して自動的に使用者に通知することができる。
【００３７】
また、親機１３は、複数の子機１４、１５のいずれかの電源をオフにする電源制御信号を発信することができることにより、異常が発生していると判別した子機に対して電源制御信号を発信し、電源をオフにすることができる。
【００３８】
さらに、親機１３は、異常な状態を通知する子機を選択することができることにより、異常が発生したことをシステムを構成する任意の子機に通知することができる。
【００３９】
（実施の形態３）
本発明の実施の形態３による電話機の構成は、図１に示す構成である。
【００４０】
このように構成された電話機について、その動作を図６を用いて説明する。図６は、本実施の形態による電話機の動作を示すフローチャートであり、請求項５の記載に対応するものである。本実施の形態においては、電話機（親機）はエアコンの電源の制御信号を発信するものとする。
【００４１】
図６において、まず、利用者は設定装置３を通して、電源制御信号を発信する閾値となる温度および湿度の設定を行う（Ｓ２１）。これらの設定内容はメモリ４に保存される。次に、親機のセンサ１は温度データおよび湿度データを取り込む（Ｓ２２）。データの取り込みは定期的に行われる。取り込んだ温度データおよび湿度データは状態判別部２に送信される。状態判別部２は、センサ１から受信した温度データおよび湿度データと、メモリ４に保存されている閾値との比較を行う（Ｓ２３）。受信した温度データおよび湿度データのうち少なくとも一方のデータの値が閾値を超えた場合にはステップＳ２４に進む。ステップＳ２４において、状態判別部２は、無線通信部７に対し、エアコンの電源をオンにする電源制御信号を発信するように指示する。指示を受けた無線通信部７は、エアコンに対し、電源をオンにする電源制御信号を送信する。次に、エアコンは、親機の無線通信部７から送信された電源制御信号を受信し（Ｓ２４ａ）、エアコンは自身の電源をオンにする（Ｓ２４ｂ）。
【００４２】
以上のように本実施の形態によれば、他機器の電源制御信号を発信することができる無線通信部７と、電源制御信号を発信する閾値となる温度および湿度を設定するための設定装置３とを備えたことにより、温度センサで検知した温度と湿度センサで検知した湿度との少なくとも一方が、設定した値を上回るか又は下回る場合に、他機器の電源をオンにすることができる。
【００４３】
（実施の形態４）
図７は、本発明の実施の形態４による電話機システムを示すブロック図である。
【００４４】
図７において、１６は図１に示す親機、１７、１８は図３に示す子機、１８、１９はエアコンである。本実施の形態では、無線通信は、親機１６と子機１７との間、親機１６と子機１８との間で行われる。また、エアコン１９は子機１７との間でのみ、エアコン２０は子機１８との間でのみ通信可能である。
【００４５】
このように構成された電話機システムについて、その動作を図８を用いて説明する。図８は、図７の電話機システムの動作を示すフローチャートであり、請求項６の記載に対応するものである。本実施の形態においては、子機１７で検知した温度が閾値を超えるものとする。
【００４６】
図８において、まず、利用者は、親機１６の設定装置３を通して、各種制御信号を発信する閾値となる温度および湿度の設定を行う（Ｓ３１）。これらの設定内容はメモリ４に保存される。次に、親機１６のセンサ１は温度データおよび湿度データを取り込む（Ｓ３２）。データの取り込みは定期的に行われる。取り込んだ温度データおよび湿度データは状態判別部２に送信される。同様に、子機１７および子機１８でも、センサ８から温度データおよび湿度データを取り込む（Ｓ３２ａ、Ｓ３２ｂ）。取り込んだ温度データおよび湿度データは無線通信部９に送信される。無線通信部９は、温度データおよび湿度データを親機１６の無線通信部７に送信する（Ｓ３３ａ、Ｓ３３ｂ）。親機１６の無線通信部７は、子機１７および子機１８の無線通信部９から送信された温度データおよび湿度データを受信する（Ｓ３３）。さらに、受信したデータを状態判別部２に送信する。次に、状態判別部２は、センサ１から受信した温度データおよび湿度データおよびステップＳ３３で受信した温度データおよび湿度データに対して、メモリ４に保存された閾値との比較を行う。比較したデータの中で、閾値を超えるデータがあった場合にはステップＳ３５に進む。ステップＳ３４で閾値を超えるデータがない場合には、この処理を終了する。次に、ステップＳ３５において、親機１６の無線通信部７は、子機１７に対して、エアコン１９の電源をオンにする電源制御信号を発信する指示を表すデータを送信する。子機１７の無線通信部９は、親機１６の無線通信部７から送信されたデータを受信し（Ｓ３５ａ）、子機１７の無線通信部９は、エアコン１９に対し、電源をオンにする電源制御信号を送信する（Ｓ３５ｂ）。エアコン１９は、子機１７の無線通信部９から送信された制御信号を受信し（Ｓ３６）、エアコン１９は自身の電源をオンにする（Ｓ３７）。
【００４７】
以上のように本実施の形態によれば、親機１６は、他機器の電源制御信号を発信する閾値となる温度および湿度を設定するための設定装置３を備え、親機無線通信部７は、他機器の電源制御信号を発信することができると共に他機器の電源制御信号を任意の子機に送信することができることにより、親機１６は、親機１６および各子機１７、１８の温度センサで検知した温度と湿度センサで検知した湿度との少なくとも一方が、設定値を上回るか又は下回る場合に、設定値を上回るか又は下回った子機に電源制御信号を送信することで、他機器たとえばエアコンの電源をオンにすることができる。
【００４８】
（実施の形態５）
本発明の実施の形態５による電話機システムの構成は、図７に示す構成である。
【００４９】
このように構成された電話機システムについて、その動作を図９を用いて説明する。図９は、本実施の形態による電話機システムの動作を示すフローチャートであり、請求項７の記載に対応するものである。本実施の形態においては、子機１７からエアコン２０の設定を行う。
【００５０】
図９において、まず、利用者は、子機１７の設定装置１２を通して、温度データとデータの送信先とを設定する（Ｓ４１）。次に、子機１７の無線通信部９は、ステップＳ４１で設定した温度データおよび送信先が子機１８であることを表すデータ（設定情報）を親機１６に送信する（Ｓ４２）。親機１６の無線通信部７は、子機１７の無線通信部９から送信されたデータを受信する（Ｓ４３）。そして、受信したデータを解析し、データの送信先が子機１８であることを認識する。次に、親機１６の無線通信部７は、温度データを子機１８の無線通信部９に送信する（Ｓ４４）。子機１８の無線通信部９は、親機１６の無線通信部７から送信された温度データを受信する（Ｓ４４ａ）。次に、子機１８の無線通信部９は、エアコン２０に対し、温度設定を変更する設定制御信号を送信する（Ｓ４４ｂ）。エアコン２０は、子機１８の無線通信部９から送信された設定制御信号を受信し（Ｓ４５）、エアコン２０は、受信した設定制御信号に従って温度設定を変更する（Ｓ４６）。
【００５１】
以上のように本実施の形態によれば、子機無線通信部９は、エアコンや加湿器などの機器の温度および湿度の設定を変更する設定制御信号を発信することができると共に設定制御信号を親機１６を介して任意の子機に送信することができることにより、子機１７、１８は、親機１６を経由して、他機器の温度設定および湿度設定を行うことができるので、他機器の在る他の部屋の温度設定および湿度設定を行うことができる。
【００５２】
【発明の効果】
以上説明したように本発明の請求項１に記載の電話機によれば、温度センサと湿度センサとを備えた電話機であって、温度センサから取り込んだ温度データと湿度センサから取り込んだ湿度データとの少なくとも一方が急激に変化した場合には異常な状態と判別する状態判別部と、異常な状態を通知する通知部とを有することにより、温度データや湿度データに基づいて事故発生の可能性の有無を判別することができるので、電話機が事故を起こしうる状況にあることを自動的に使用者に通知することができるという有利な効果が得られる。
【００５３】
請求項２に記載の電話機システムによれば、親機と複数の子機とで構成される電話機システムであって、親機と複数の子機とはそれぞれ温度センサと湿度センサとを有し、親機は、親機の温度センサから取り込んだ温度データと親機の湿度センサから取り込んだ湿度データとの少なくとも一方が複数の子機の温度データまたは湿度データと大きく異なる場合または複数の子機のうちのいずれかの子機の温度データと湿度データとの少なくとも一方が親機またはいずれかの子機以外の子機の温度データまたは湿度データと大きく異なる場合には異常な状態と判別する状態判別部と、異常な状態を送信する親機無線通信部とを有し、複数の子機は、親機からの異常な状態を受信する子機無線通信部と、異常な状態を通知する通知部とを有することにより、親機や各子機の温度データや湿度データに基づいて事故発生の可能性の有無を親機が判別することができるので、電話機が事故を起こしうる状況にあることを各子機を介して自動的に使用者に通知することができるという有利な効果が得られる。
【００５４】
請求項３に記載の電話機システムによれば、請求項２に記載の電話機システムにおいて、親機は、複数の子機のいずれかの電源をオフにする電源制御信号を発信することができることにより、異常が発生していると判別した子機に対して電源制御信号を発信し、電源をオフにすることができるという有利な効果が得られる。
【００５５】
請求項４に記載の電話機システムによれば、請求項２に記載の電話機システムにおいて、親機は、異常な状態を通知する子機を選択することができることにより、異常が発生したことをシステムを構成する任意の子機に通知することができるという有利な効果が得られる。
【００５６】
請求項５に記載の電話機によれば、請求項１に記載の電話機において、他機器の電源制御信号を発信することができる無線通信部と、電源制御信号を発信する閾値となる温度および湿度を設定するための設定装置とを備えたことにより、温度センサで検知した温度と湿度センサで検知した湿度との少なくとも一方が、設定した値を上回るか又は下回る場合に、他機器の電源をオンにすることができるという有利な効果が得られる。
【００５７】
請求項６に記載の電話機システムによれば、請求項２、３または４に記載の電話機システムにおいて、親機は、他機器の電源制御信号を発信する閾値となる温度および湿度を設定するための設定装置を備え、親機無線通信部は、他機器の電源制御信号を発信することができると共に他機器の電源制御信号を任意の子機に送信することができることにより、親機は、親機および各子機の温度センサで検知した温度と湿度センサで検知した湿度との少なくとも一方が、設定値を上回るか又は下回る場合に、設定値を上回るか又は下回った子機に電源制御信号を送信することで、他機器たとえばエアコンの電源をオンにすることができるという有利な効果が得られる。
【００５８】
請求項７に記載の電話機システムによれば、請求項２、３、４または６に記載の電話機システムにおいて、子機無線通信部は、エアコンや加湿器などの機器の温度および湿度の設定を変更する設定制御信号を発信することができると共に設定制御信号を親機を介して任意の子機に送信することができることにより、子機は、親機を経由して、他機器の温度設定および湿度設定を行うことができるので、他機器の在る他の部屋の温度設定および湿度設定を行うことができるという有利な効果が得られる。
【図面の簡単な説明】
【図１】本発明の実施の形態１による電話機としての親機を示すブロック図
【図２】本発明の実施の形態１による電話機の動作を示すフローチャート
【図３】本発明の実施の形態２による電話機システムを構成する子機を示すブロック図
【図４】本発明の実施の形態２による電話機システムを示すブロック図
【図５】図４の電話機システムの動作を示すフローチャート
【図６】本発明の実施の形態３による電話機の動作を示すフローチャート
【図７】本発明の実施の形態４による電話機システムを示すブロック図
【図８】図７の電話機システムの動作を示すフローチャート
【図９】本発明の実施の形態５による電話機システムの動作を示すフローチャート
【符号の説明】
１、８  センサ
２  状態判別部
３、１２  設定装置
４  メモリ
５、１０  表示装置
６、１１  スピーカ
７、９  無線通信部
１３、１６  親機
１４、１５、１７、１８  子機
１９、２０  エアコン
【図１】
2004247903.tif 000003
【図２】
2004247903.tif 000004
【図３】
2004247903.tif 000005
【図４】
2004247903.tif 000006
【図５】
2004247903.tif 000007
【図６】
2004247903.tif 000008
【図７】
2004247903.tif 000009
【図８】
2004247903.tif 000010
【図９】
2004247903.tif 000011